(57)【特許請求の範囲】
【請求項１】
器具を無線交信により遠隔操作する遠隔制御器と、浴室内壁面に取り付け前記遠隔制御器を着脱自在に収納する取付台とからなる無線式遠隔制御器の着脱自在な取付け装置であって、前記取付台は、既設のケーブル線接続方式の遠隔制御器で使用した壁貫通孔を利用し、前記取付台の遠隔制御器収納面に係止し前記既設の壁貫通孔に螺溝を有する固定具を挿入後、前記固定具の屋外壁面側の端部に締付用ナットを螺着して固定する構成とした無線式遠隔制御器の着脱自在な取付け装置。
【請求項２】
締付用ナットと屋外壁面との間に雨水の侵入を防止するシール材を配設した請求項１記載の無線式遠隔制御器の着脱自在な取付け装置。
【発明の詳細な説明】
【０００１】
【産業上の利用分野】
本発明は遠隔操作用の無線交信式の遠隔制御器（以下リモートコントローラという）の取付装置に関する。
【０００２】
【従来の技術】
従来より屋外に設置された給湯器と浴室内の壁に取り付けたリモートコントローラとをケーブル線で接続した有線式のリモートコントローラが一般に使用されていた。その構成は図４に示すように給湯器（図示せず）とケーブル線で接続した方式の浴室リモートコントローラ２１は壁２２を形成する浴室内壁面２３と屋外壁面２４とを貫通する貫通孔２５に挿通した連通パイプ２６にケーブル線２７を通し、連通パイプ２６を浴室リモートコントローラ２１に固着したボス部２８にねじ込み、更に屋外よりナット２９で締め付けて固定していた。尚３０は連通パイプ２６に雨水が浸入するのを防止する雨水防止用キャップである。
【０００３】
ところが、このような有線式のリモートコントローラに代って給湯器とはケーブル線で接続しない無線方式のリモートコントローラが設置されるように進歩してきた。その為、有線方式で給湯器と浴室内のリモートコントローラとをケーブル線で接続するように壁に貫通孔が既設されているにもかかわらず、これを塞いで別に浴室壁面に無線交信式リモートコントローラを取付けることが行われていた。
【０００４】
【発明が解決しようとする課題】
すなわち従来の前記したケーブル線接続方式の浴室リモートコントローラの設置部跡に、あらためて無線式の着脱式リモートコントローラを取付ける為に、図５に示すようにリモートコントローラ３１のネジ取付部３２に対応する浴室内壁面２３にネジ孔３３をドリル等であけてネジ３４で固定するという工事上の手間が発生するという問題があった。
【０００５】
そこで、本発明の目的は既設のケーブル線接続方式の浴室リモートコントローラ２１がある場合にはその連通パイプ２６の貫通孔２５を利用することにより、また既設の貫通孔２５がない新築の浴室にはその壁に貫通孔を設けるのみで工事性の優れた着脱式無線形式のリモートコントローラの取付装置を提供するものである。
【０００６】
また請求項２記載に係る発明は前記する目的に加えて締付用ナットと屋外壁面との間から雨水が浸入することのない着脱式リモートコントローラの取付装置を提供するものである。
【０００７】
【課題を解決するための手段】
請求項１に係る発明の無線式遠隔制御器の着脱自在な取付け装置は、取付台の遠隔制御器収納面に係止し、既設のケーブル線接続方式の遠隔制御器で使用した壁貫通孔に螺溝を有する固定具を挿入後、前記固定具の屋外壁面側の端部に締付用ナットを螺着して浴室内壁面に取付台を固定する構成としたものである。
【０００８】
また、請求項２に係る発明の無線式遠隔制御器の着脱自在な取付け装置は、前記請求項１記載の発明に加えて、締付用ナットと屋外壁面との間に雨水の侵入を防止するシール材を配設したものである。
【０００９】
【作用】
前記した構成により本発明の無線式リモートコントローラの着脱自在な取付装置は、既設のケーブル線接続方式の浴室リモートコントローラで使用していた貫通孔を利用する場合ならびに新らたにリモートコントローラを最初から設置する場合には新らたに設けた貫通孔に螺溝を有する固定具を挿入し、その端部をリモートコントローラの取付台の背面に取付けることにより、取付台の浴室壁面への取付けを締付用ナットで締付けて固定できる。
【００１０】
また請求項２記載の発明においては締付用ナットと屋外壁面との間に生じる隙間から壁内へ浸入する雨水をシール材で防止できるものである。
【００１１】
【実施例】
以下、本発明の無線式リモートコントローラの着脱自在な取付装置の実施例について、添付図面を参照しながら具体的に説明する。
【００１２】
図１及び図２は家屋の外側の壁面等に設置する給湯器（図示せず）を浴室等から遠隔操作し、給湯や追だき等の操作信号入力用等の無線交信をするリモートコントローラについての一実施例を示す。
【００１３】
無線式リモートコントローラ１の取付台２を新築家屋等で新規に取付ける場合は、壁３を構成する浴室内壁面４および屋外壁面５に貫通孔６を単にドリル等であける。
【００１４】
また、既設の有線式であるケーブル線接続方式の浴室リモートコントローラ跡に取付ける場合は、既に貫通孔６があいており、この貫通孔６を利用して取付台２を浴室壁面４に取付けることができる。
【００１５】
着脱自在の固定具７を取付台２のリモートコントローラ収納面背面より挿入し、貫通孔６に通す。屋外壁面５から締付用ナット８を前記固定具７の螺溝７ａに締付けることにより、取付台２を浴室壁面４へ固定することが可能となる。
【００１６】
また、リモートコントローラ１は給湯器との無線交信に必要な受発信器、アンテナ、電池電源、入力操作部、データ表示部等を備えているものとする。そして取付台２への着脱は容易で着脱の状態に応じた操作ができる。
【００１７】
次に本発明の他の実施例を図３により説明する。図１と同じ番号を付与した部品は同一名称で同じ作用をするものとして説明は省く。屋外壁面５から締付用ナット８を固定具７の螺溝７ａに螺合して締付けると、屋外壁面５の表面状態によっては、締付用ナット８との間に隙間が発生する場合があり、この隙間から壁面内へ雨水が浸入し内部を腐蝕させることが考えられる。そこで屋外壁面５と締付用ナット８との間にシール材９を設けることにより壁内への雨水の浸入を防止できる。
【００１８】
【発明の効果】
以上の説明から明らかなように、本発明の請求項１に示す無線式リモートコントローラの着脱自在な取付け装置は、取付台の固定を、壁に設けた貫通孔に固定具を挿通しその固定具に締付用ナットで締め付けて行うものであるため別にネジ穴を明けることなく、工事の省力化を図ることができる。
【００１９】
また、本発明の請求項２に係る発明では、屋外壁面と締付用ナットの間にシール材を設けるため、壁内への雨水の浸入を防止することができる。
【図面の簡単な説明】
【図１】本発明の一実施例における無線式リモートコントローラの着脱自在な取付装置の断面図
【図２】同分解斜視図
【図３】本発明の他の実施例における無線式リモートコントローラの着脱自在な取付装置の断面図
【図４】従来の有線式リモートコントローラの取付装置の断面図
【図５】同分解斜視図
【符号の説明】
１  無線式リモートコントローラ
２  取付台
４  浴室内壁面
５  屋外壁面
６  貫通孔
７  固定具
７ａ  螺溝
８  締付用ナット
９  シール材
【図１】
0003603349.tif 000002
【図２】
0003603349.tif 000003
【図３】
0003603349.tif 000004
【図４】
0003603349.tif 000005
【図５】
0003603349.tif 000006